(57)【要約】【課題】すり鉢とすりこぎ棒によって擂りつぶされた食材をすり鉢から掻き出す場合、またはすり鉢の中で新たな食材と混ぜ合わせる場合、すりこぎ棒だけでは良好な調理作業が難しかった。【解決手段】すりこぎ棒の擂りつぶしを行う部位とは反対側の端部に、ブラシまたはヘラ、またはヘラを格納したブラシ、またはブラシを格納したヘラを有したすりこぎ棒を構成することにより、擂りつぶされた食材をすり鉢から掻き出す場合にはブラシ部を、擂りつぶした食材に新たに食材を加えてすり鉢の中で混ぜ合わせる場合にはヘラ部を活用することにより、すりこぎ棒一つで、擂りつぶしと掻き出し、擂りつぶしと混ぜ合わせを行うことが出来るようになり調理の利便性が増すこととなる。また、ブラシやヘラにキャップを取り付けることにより、力強く擂りつぶしを行うことが可能となるだけでなく、食卓での安全性も確保することが出来る。【選択図】図１
2011104026.tif 000002
【特許請求の範囲】
【請求項１】
すりこぎ棒の、擂りつぶしを行う部位とは反対側の端部に、ブラシを有することを特徴とするすりこぎ棒。
【請求項２】
すりこぎ棒の、擂りつぶしを行う部位とは反対側の端部に、ヘラを有することを特徴とするすりこぎ棒。
【請求項３】
すりこぎ棒の、擂りつぶしを行う部位とは反対側の端部に、着脱可能なブラシを有し、前記ブラシの内側にヘラが格納されているすりこぎ棒であって、前記ブラシを取り外すと前記ブラシの内側に格納されているヘラが現れることを特徴とするすりこぎ棒。
【請求項４】
すりこぎ棒の、擂りつぶしを行う部位とは反対側の端部に、着脱可能なヘラを有し、前記ヘラの内側にブラシが格納されているすりこぎ棒であって、前記ヘラを取り外すと前記ヘラの内側に格納されているブラシが現れることを特徴とするすりこぎ棒。
【請求項５】
すりこぎ棒の、擂りつぶしを行う部位とは反対側の端部に、着脱可能なキャップを有することを特徴とする請求項１乃至請求項４のすりこぎ棒。
【発明の詳細な説明】
【技術分野】
【０００１】
本発明は、すりこぎ棒に関するものである。
【背景技術】
【０００２】
すり鉢でゴマ等をすりこぎ棒で擂った後、擂りおわったゴマ等をすり鉢から他の食品にかけたり他の容器に移したりする際、すり鉢の溝のゴマ等を残さずにかき出すにはすりこぎ棒やスプーンや箸では十分に行う事が出来なかった。
また、例えばゴマ和えや離乳食のように、すり鉢とすりこぎ棒で擂り終えた食品に他の食品を加えて、すり鉢の中で混ぜ合わせる場合、そのまますりこぎ棒で混ぜ合わせる場合もあるが、すりこぎ棒では混ぜ合わせがうまく行えずヘラやスプーンに持ち替えて混ぜ合わせる作業も行われていた。
【０００３】
ゴマ等すり鉢で擂った食品をすり鉢の溝からきれいにかき出すには、別にブラシやハケを準備しなければならなかったし、すり鉢の中で複数の食品を混ぜ合わせる際には、混ぜ合わせ作業に必要なヘラやスプーンを別に用意しておかなければならなかった。
すり鉢で食品を擂ったり混ぜたりする作業は、調理の中の一つの工程であり、その工程の一つに過ぎない事柄に対して、すりこぎ棒だけでなく、ブラシやヘラを別に用意しておくのは、調理という忙しく煩雑な作業の中で時に面倒なものであり、すり鉢で行う作業においては、出来ればすりこぎ棒一つで作業を終わらせてしまいたいと考えるのは決して手抜きな事ではない。
【０００４】
しかしながら、多工程かつ時間的制限をもつ調理の最中においては、やはり道具には個別に特化された機能があり、すりこぎ棒は擂りつぶしのために、ブラシは掻き出すために、ヘラは混ぜ合わせるために必要な機能に特化しており、それぞれをその場面に応じて行うにはどうしても個別に道具を用意し、必要な局面において道具を替えて調理しなければならなかった。
包丁や菜箸に比べ、ブラシやヘラなどは調理道具としては常に必要とされるものではないために、調理のその局面になってブラシやヘラを準備していないことに気付き、忙しい調理の最中に濡れた手で探さなくてはならないことも、調理する人はしばしば経験している事は想像に難くない。
【０００５】
すり鉢の溝に詰まった物を取り集めるブラシとしては、特許文献１に開示されているものがある。また、調理道具としてフライパンから小皿まで様々な大きさの調理器具に合わせて、掻き混ぜるための調理用のヘラは大小様々な大きさや種類がある事は既に知られている。
【先行技術文献】
【特許文献】
【０００６】
【特許文献１】実新開昭６２−１６３０５８号公報
【発明の概要】
【発明が解決しようとする課題】
【０００７】
解決しようとする問題点は、すり鉢とすりこぎ棒を用いて食材を擂りつぶした後、擂りつぶした食材をすり鉢から掻き出す際に、掻き出し用にブラシを別に準備することの不便さ、または、すり鉢の中で擂りつぶし終わった食材に他の食材を混ぜ合わせる際に、混ぜ合わせ用にヘラを別に準備する事の不便さ、または、その双方を解消し、調理の効率性と快適性を高めることを目的とするものである。
【課題を解決するための手段】
【０００８】
この課題を解決する請求項１の発明は、すりこぎ棒の、擂りつぶしを行う部位とは反対側の端部に、ブラシを有することを特徴とするすりこぎ棒を提供する。これにより、すり鉢とすりこぎ棒を用いてゴマ等を擂りつぶした後、擂りつぶしたゴマ等をすり鉢から掻き出す際に、すりこぎ棒の擂りつぶしを行う部位の反対側に構成されたブラシを用いることで、すり鉢の溝に詰まったゴマ等を、掻き出し用に別にブラシを準備することなくきれいに掻き出す事が出来る。
【０００９】
また、請求項２の発明は、すりこぎ棒の、擂りつぶしを行う部位とは反対側の端部に、ヘラを有することを特徴とするすりこぎ棒を提供する。これにより、すり鉢とすりこぎ棒を用いてゴマ等を擂りつぶした後、擂りつぶしたゴマ等と別の食材をすり鉢の中で混ぜ合わせる際に、すりこぎ棒の擂りつぶしを行う部位の反対側に構成されたヘラを用いることで、すり鉢の中の食材同士を、混ぜ合わせのために別にヘラを準備することなく即座に混ぜ合わせる事が出来る。
【００１０】
また、請求項３の発明は、すりこぎ棒の、擂りつぶしを行う部位とは反対側の端部に、着脱可能なブラシを有し、前記ブラシの内側にヘラが格納されているすりこぎ棒であって、前記ブラシを取り外すと前記ブラシの内側に格納されているヘラが現れることを特徴とするすりこぎ棒を提供する。これにより、すり鉢とすりこぎ棒を用いて食材を擂りつぶした後、食材をすり鉢から掻き出す場合はそのままブラシを用いる事が出来、食材をすり鉢の中で他の食材と混ぜ合わせる場合はブラシの部分を取り外して、格納してあるヘラを出して混ぜ合わせる事が出来る。
【００１１】
また、請求項４の発明は、すりこぎ棒の、擂りつぶしを行う部位とは反対側の端部に、着脱可能なヘラを有し、前記ヘラの内側にブラシが格納されているすりこぎ棒であって、前記ヘラを取り外すと前記ヘラの内側に格納されているブラシが現れることを特徴とするすりこぎ棒を提供する。これにより、すり鉢とすりこぎ棒を用いて食材を擂りつぶした後、擂りつぶした食材をすり鉢の中で他の食材と混ぜ合わせる場合はそのままヘラを用いる事が出来、すり鉢の中の食材を掻き出す場合はヘラの部分を取り外して、格納してあるブラシを出して掻き出す事が出来る。
【００１２】
また、請求項５の発明は、すりこぎ棒の、擂りつぶしを行う部位とは反対側の端部に、着脱可能なキャップを有することを特徴とする請求項１乃至請求項４のすりこぎ棒を提供する。これにより、請求項１乃至請求項４のすりこぎ棒において、すりこぎ棒の擂りつぶしを行う部位の反対側の端部に着脱可能なキャップがある事により、力を入れてすり鉢の中の食材を擂りつぶさなければならない場合においても、キャップの頭に手のひらを押し当てる事が可能となり、すりこぎ棒をすり鉢に押し当てながらすり鉢の中の食材をより強い力で擂りつぶす事が可能となる。また、ブラシまたはヘラがキャップにより格納されているので、乳幼児が近くにいる際に、ブラシやヘラの端部に触れる事を防止する事が出来、ブラシやヘラを使用していない場合キャップの中に格納されているので安全性を高めることが出来る。
【発明の効果】
【００１３】
本発明のすりこぎ棒は、本来擂りつぶすだけの機能しかもたなかったこれまでのすりこぎ棒に、ブラシやヘラの機能も付加させるものとなるので、すり鉢とすりこぎ棒により擂りつぶした食材を、すり鉢から掻き出したり、または、すり鉢の中で混ぜ合わせたりする場合に、他にブラシやヘラを準備しておく必要が無くなるため、調理中に複数の調理用具を準備する必要が無くなり、また、準備忘れによる調理の中断を防止することが出来るという利点がある。また、擂りつぶす、掻き出す、または、混ぜ合わせるということが、本発明のすりこぎ棒により行えるので、忙しい調理における利便性に貢献するものとなる。
【図面の簡単な説明】
【００１４】
【図１】図１はブラシが付いたすりこぎ棒の構成例を示す斜視図である。（実施例１）
【図２】図２は図１の構成例の平面図、底面図、側面図である。（実施例１）
【図３】図３はブラシが全面に付いたすりこぎ棒の構成例を示す斜視図と平面図である。（実施例１）
【図４】図４はブラシが同心円状に付いたすりこぎ棒の構成例を示す斜視図と平面図である。（実施例１）
【図５】図５はヘラが付いたすりこぎ棒の構成例を示す斜視図である。（実施例２）
【図６】図６は図５の構成例の平面図、底面図、側面図である。（実施例２）
【図７】図７は着脱可能なブラシ部に格納されたヘラをもつ、すりこぎ棒の構成例を示す斜視図である。（実施例３）
【図８】図８は着脱可能なヘラ部に格納されたブラシをもつ、すりこぎ棒の構成例を示す斜視図である。（実施例４）
【図９】図９は着脱可能なキャップをもつ、ブラシが付いたすりこぎ棒の構成例を示す斜視図である。（実施例５）
【図１０】図１０はすり鉢の溝に詰まった食材をブラシ部を用いて掻き出すすりこぎ棒の使用状況例を示す斜視図である。（実施例１）
【発明を実施するための形態】
【００１５】
本発明を実施する形態を、ブラシを有するすりこぎ棒を実施例１として、ヘラを有するすりこぎ棒を実施例２として、ヘラを格納するブラシ部を有するすりこぎ棒を実施例３として、ブラシを格納するヘラ部を有するすりこぎ棒を実施例４として、着脱可能なキャップをもつブラシ、またはヘラ、またはヘラを格納するブラシ、またはブラシを格納するヘラの付いたすりこぎ棒を実施例５として、各実施例を図１〜図１０に基づいて説明する。
【実施例１】
【００１６】
図１は、本発明の実施例１の構成例を示す斜視図であり、図２は図１の平面図、底面図、側面図である。すりこぎ棒の擂りつぶしを行う部位２とは反対側の端部にブラシ３が構成されている。これにより、すりこぎ棒の擂りつぶしを行う部位２を用いてすり鉢の中のゴマ等を擂りつぶした後、擂りつぶしたゴマ等をすり鉢から掻き出す際に、本発明のすりこぎ棒に付いたブラシ３を用いて掻き出すことにより、掻き出し用に別途ブラシを準備する必要が無くなり、すり鉢の溝に詰まった擂りつぶしたゴマ等の食材を良好に掻き出すことが出来る。
本発明のブラシ３が付いたすりこぎ棒を用いることにより、すり鉢の中で擂りつぶされたゴマ等の食材を掻き出す際に、すりこぎ棒とは別に掻き出すためのブラシを別途準備しておかなければならない煩わしさが解消されると共に、掻き出すためのブラシを準備し忘れた場合、調理の手を止めてブラシを探さなければならないという不便さも解消することができる。
【００１７】
また、本発明はすりこぎ棒の擂りつぶしを行う部位２とは反対側にブラシを有するすりこぎ棒である。ブラシの形状に関しては、図３に示すような、すりこぎ棒の擂りつぶしを行う部位２とは反対側の端部全面にブラシ３が植毛されているものや、図４に示すような、すりこぎ棒の擂りつぶしを行う部位２とは反対側に端部に同心円状にブラシ３が植毛されているものであっても構わない。
ブラシ３の長さであるが、１ｃｍ〜５ｃｍ程度、好ましくは１．５ｃｍ〜４ｃｍ程度が使い勝手としてはよい。
ブラシ３の材質に関しては、ナイロン、ポリプロピレン等の化学繊維、馬毛、豚毛等の動物繊維、シュロ、シダ等の植物繊維等様々な繊維で実施可能である。
ブラシ３の植毛の形状、長さ、材質に関しては、以下の実施例３及び実施例４のブラシ３に関しても同様である。
【００１８】
ブラシ３のすりこぎ棒への取り付け方法に関しては、接着剤による取り付けやビス止めによる取り付け等により実施することが可能であり、すりこぎ棒へのブラシ３への取り付け方法に関しては、以下の実施例４のブラシ３に関しても同様に実施可能であり、また実施例２及び実施例３のヘラ４のすりこぎ棒への取り付け方法に関しても同様に実施可能である。
【実施例２】
【００１９】
図５は、本発明の実施例２の構成例を示す斜視図であり、図６は図５の平面図、底面図、側面図である。すりこぎ棒の擂りつぶしを行う部位２とは反対側の端部にヘラ４が構成されている。これにより、すりこぎ棒の擂りつぶしを行う部位２を用いてすり鉢の中の食材を擂りつぶした後、前記すり鉢の中に他の食材を加え混ぜ合わせる際に、本発明のすりこぎ棒に付いたヘラ４を用いて混ぜ合わせることにより、混ぜ合わせ用に別途ヘラを準備する必要が無くなり、前記すり鉢の中で擂りつぶした食材と新たに加えた食材を良好に混ぜ合わせることが出来る。
本発明のヘラ４が付いたすりこぎ棒を用いることにより、すり鉢の中で擂りつぶされた食材と新たに加えた食材を混ぜ合わせる際に、すりこぎ棒とは別に混ぜ合わせるためのヘラを別途準備しておかなければならない煩わしさが解消されると共に、混ぜ合わせるためのヘラを準備し忘れた場合、調理の手を止めてヘラを探さなければならないという不便さも解消することができる。
【００２０】
ヘラ４の長さであるが、２ｃｍ〜１０ｃｍ程度、好ましくは３ｃｍ〜７ｃｍ程度が使い勝手としてはよい。
ヘラ４の材質に関しては、木材や竹、シリコーン等の合成樹脂、ステンレス等の金属により実施可能である。
ヘラ４の長さ、材質に関しては、実施例３及び実施例４に関しても同様である。
【実施例３】
【００２１】
図７は、本発明の実施例３の構成例を示す斜視図である。すりこぎ棒の擂りつぶしを行う部位２とは反対側の端部に着脱可能なブラシ３が構成され、前記ブラシ３の内側にヘラ４が格納されている。これにより、すりこぎ棒の擂りつぶしを行う部位２を用いてすり鉢の中のゴマ等を擂りつぶした後、擂りつぶしたゴマ等をすり鉢から掻き出す際には、本発明のすりこぎ棒に付いたブラシ３を用いて掻き出すことにより、掻き出し用に別途ブラシを準備する必要が無くなり、すり鉢の溝に詰まった擂りつぶしたゴマ等の食材を良好に掻き出すことが出来る。
また、擂りつぶした食材に他の食材を加えて混ぜ合わせる場合には、前記ブラシ３を取り外すと格納されていたヘラ４が現れるので、ヘラ４を用いてすり鉢の中で擂りつぶした食材と、新たに加えた食材を混ぜ合わせることが出来、混ぜ合わせ用に別途ヘラを準備する必要が無くなり、すり鉢の中で食材を良好に混ぜ合わせることが出来る。
本発明のヘラ４を格納する着脱可能なブラシ３が付いたすりこぎ棒を用いることにより、すり鉢の中で擂りつぶされたゴマ等の食材を掻き出す場合にも、すり鉢の中で食材を混ぜ合わせる場合にも対応することが出来、すりこぎ棒とは別に掻き出すためのブラシや混ぜ合わせるためのヘラを別途準備しておかなければならない煩わしさが解消されると共に、掻き出すためのブラシまたは混ぜ合わせるためのヘラを準備し忘れた場合、調理の手を止めてブラシまたはヘラを探さなければならないという不便さも解消することができる。
【００２２】
内側にヘラ４を格納するブラシ３の着脱は、ねじ込み式等により容易に実現可能であり、実施例４及び実施例５の着脱においても同様に実現可能である。
【実施例４】
【００２３】
図８は、本発明の実施例４の構成例を示す斜視図である。すりこぎ棒の擂りつぶしを行う部位２とは反対側の端部に着脱可能なヘラ４が構成され、前記ヘラ４の内側にブラシ３が格納されている。これにより、すりこぎ棒の擂りつぶしを行う部位２を用いてすり鉢の中の食材を擂りつぶした後、擂りつぶした食材に他の食材を加えて混ぜ合わせる場合には、前記ヘラ４を用いてすり鉢の中で擂りつぶした食材と、新たに加えた食材を混ぜ合わせることが出来、混ぜ合わせ用に別途ヘラを準備する必要が無くなり、すり鉢の中で食材を良好に混ぜ合わせることが出来る。
また、擂りつぶしたゴマ等をすり鉢から掻き出す際には、前記ヘラ４を取り外すと格納されていたブラシ３が現れるので、ブラシ３を用いて掻き出すことにより、掻き出し用に別途ブラシを準備する必要が無くなり、すり鉢の溝に詰まった擂りつぶしたゴマ等の食材を良好に掻き出すことが出来る。
本発明のブラシ３を格納する着脱可能なヘラ４が付いたすりこぎ棒を用いることにより、すり鉢の中で擂りつぶされた食材と他の食材を混ぜ合わせる場合にも、ゴマ等の食材を掻き出す場合にも対応することが出来、すりこぎ棒とは別に混ぜ合わせるためのヘラや掻き出すためのブラシを別途準備しておかなければならない煩わしさが解消されると共に、混ぜ合わせるためのヘラまたは掻き出すためのブラシを準備し忘れた場合、調理の手を止めてヘラまたはブラシを探さなければならないという不便さも解消することができる。
【実施例５】
【００２４】
図９は、本発明の実施例５の構成例を示す斜視図である。図９においては、実施例１を示す図１を用いて着脱出来るキャップ７を図示しているが、この着脱出来るキャップ７は実施例２、実施例３、実施例４においても実施されるものであり、以下順を追って説明を行うが、図としては省略する。
【００２５】
実施例１のすりこぎ棒において、擂りつぶしを行う部位２とは反対側の端部に着脱可能なキャップ７が構成され、前記キャップ７の内側にブラシ３が格納されている。これにより、すりこぎ棒の擂りつぶしを行う部位２を用いてすり鉢の中の食材を擂りつぶす際に、すりこぎ棒に取り付けられている前記キャップ７に片手を当てて、すり鉢に対してすりこぎ棒を強く押し当てながらすり鉢の中の食材を擂りつぶすことが出来る。擂りつぶした後に、前記キャップ７を取り外すと格納されていたブラシ３が現れるので、擂りつぶした食材をすり鉢から掻き出す場合はブラシ３を用いて掻き出すことにより、掻き出し用に別途ブラシを準備する必要が無くなり、すり鉢の溝に詰まった擂りつぶした食材を良好に掻き出すことが出来る。
【００２６】
実施例２のすりこぎ棒において、擂りつぶしを行う部位２とは反対側の端部に着脱可能なキャップ７が構成され、前記キャップ７の内側にヘラ４が格納されている。これにより、すりこぎ棒の擂りつぶしを行う部位２を用いてすり鉢の中の食材を擂りつぶす際に、すりこぎ棒に取り付けられている前記キャップ７に片手を当てて、すり鉢に対してすりこぎ棒を強く押し当てながらすり鉢の中の食材を擂りつぶすことが出来る。擂りつぶした後に、前記キャップ７を取り外すと格納されていたヘラ４が現れるので、擂りつぶした食材と新たな食材をすり鉢の中で混ぜ合わせる場合はヘラ４を用いて食材を混ぜ合わせることにより、混ぜ合わせ用に別途ヘラを準備する必要が無くなり、食材を良好に混ぜ合わせることが出来る。
【００２７】
実施例３のすりこぎ棒において、擂りつぶしを行う部位２とは反対側の端部に着脱可能なキャップ７が構成され、前記キャップ７の内側にヘラ４を格納したブラシ３が格納されている。これにより、すりこぎ棒の擂りつぶしを行う部位２を用いてすり鉢の中の食材を擂りつぶす際に、すりこぎ棒に取り付けられている前記キャップ７に片手を当てて、すり鉢に対してすりこぎ棒を強く押し当てながらすり鉢の中の食材を擂りつぶすことが出来る。擂りつぶした後に、前記キャップ７を取り外すと、最初に、格納されていたブラシ３が現れるので、擂りつぶした食材をすり鉢から掻き出す場合はブラシ３を用いて掻き出すことにより、掻き出し用に別途ブラシを準備する必要が無くなり、すり鉢の溝に詰まった擂りつぶした食材を良好に掻き出すことが出来る。また、ブラシ３を取り外すと格納されていたヘラ４が現れるので、擂りつぶした食材と新たな食材をすり鉢の中で混ぜ合わせる場合はヘラ４を用いて食材を混ぜ合わせることにより、混ぜ合わせ用に別途ヘラを準備する必要が無くなり、食材を良好に混ぜ合わせることが出来る。
【００２８】
実施例４のすりこぎ棒において、擂りつぶしを行う部位２とは反対側の端部に着脱可能なキャップ７が構成され、前記キャップ７の内側にブラシ３を格納したヘラ４が格納されている。これにより、すりこぎ棒の擂りつぶしを行う部位２を用いてすり鉢の中の食材を擂りつぶす際に、すりこぎ棒に取り付けられている前記キャップ７に片手を当てて、すり鉢に対してすりこぎ棒を強く押し当てながらすり鉢の中の食材を擂りつぶすことが出来る。擂りつぶした後に、前記キャップ７を取り外すと、最初に、格納されていたヘラ４が現れるので、擂りつぶした食材と新たな食材をすり鉢の中で混ぜ合わせる場合はヘラ４を用いて食材を混ぜ合わせることにより、混ぜ合わせ用に別途ヘラを準備する必要が無くなり、食材を良好に混ぜ合わせることが出来る。また、ヘラ４を取り外すと格納されていたブラシ３が現れるので、擂りつぶした食材をすり鉢から掻き出す場合はブラシ３を用いて掻き出すことにより、掻き出し用に別途ブラシを準備する必要が無くなり、すり鉢の溝に詰まった擂りつぶした食材を良好に掻き出すことが出来る。
【００２９】
本発明のブラシ３またはヘラ４、またはヘラ４を格納したブラシ３、またはブラシ３を格納したヘラ４を格納するキャップ７を提供することにより、すりこぎ棒により食材を擂りつぶす際にはキャップ７の頭に手を当てることにより、強い力で食材を擂りつぶすことが出来る。また、キャップ７に格納したブラシ３やヘラ４をキャップ７を取り外すことにより即座に使用状況にすることが出来る。また、使用していたブラシ３やヘラ４を、使い終わった後にキャップ７を取り付けることにより、例えば乳幼児の離乳食を作った場合には、ブラシ３やヘラ４がキャップ７に格納されるので、乳幼児が不用意にブラシ３やヘラ４の端部に触れることが無く、食卓の安全性を高めることが出来る。
【産業上の利用可能性】
【００３０】
擂りつぶすだけに用いられていたすりこぎ棒に、掻き出すためのブラシや、混ぜ合わせるためのヘラの機能を付加させることにより、調理作業の利便性に貢献するものである。また、ブラシやヘラを格納するキャップを構成することにより、食卓の安全性を高めることにも寄与するものとなり、産業上の利用の可能性を有する。
【符号の説明】
【００３１】
１    すりこぎ棒
２    擂りつぶし部位
３    ブラシ
４    ヘラ
５    ヘラの芯
６    ネジ切り部
７    キャップ
８    すり鉢
【図１】
2011104026.tif 000003
【図２】
2011104026.tif 000004
【図３】
2011104026.tif 000005
【図４】
2011104026.tif 000006
【図５】
2011104026.tif 000007
【図６】
2011104026.tif 000008
【図７】
2011104026.tif 000009
【図８】
2011104026.tif 000010
【図９】
2011104026.tif 000011
【図１０】
2011104026.tif 000012